(57)【要約】【課題】電気接続箱内の水を排水穴に誘導できるようにして、確実な排水を行う。【解決手段】電気接続箱１０はケース１１とカバー１２とからなり、ケース１１の底壁１１ａに排水穴１１ｂを設けると共に、ケース１１の内面およびカバー１２の内面に排水穴１１ｂへと水を誘導するケース側誘い込みリブ１１ｃとカバー側誘い込みリブ１２ｅを設けている。これらの誘い込みリブに沿って水を所定の経路に沿って排水穴１１ｂへと導くことにより、ケース１１内部の水を収容している電気部品にかからないようにして迅速に排水できる。【選択図】　図３
2004096968.tif 000002
【特許請求の範囲】
【請求項１】
カバーとロック結合されるケースに排水穴を設けていると共に、該排水穴に向かって延在する誘い込みリブをケース内面に突設し、浸水あるいは結露により生じた水が上記誘い込みリブに沿って流れると上記排水穴へ誘導されて排水される構成としていることを特徴とする電気接続箱の排水構造。
【請求項２】
上記電気接続箱は、ケースに被せるカバーを一側面とする横向きで、かつ、該カバーが上方となるように傾斜配置とされ、該カバーと対向する他側面に上記ケースの底面部が位置し、該ケース底面部の略中央の下端に上記排水穴が設けられ、該ケース底面部にケース側誘い込みリブを排水穴に向けて突設している一方、
上記カバーの内面に複数本のカバー側誘い込みリブを中央部下方に向けて所要間隔をあけて突設し、該カバー内面に結露して生じた水を上記カバー側誘い込みリブで誘導してカバーの中央下方に集め、対向する上記排水穴へと上記ケース内部を通して誘導する構成としている請求項１に記載の電気接続箱の排水構造。
【請求項３】
上記ケースの一側壁を外方へ斜め傾斜させて電線引出部を突設し、該電線引出部を上記カバーより外方に突出させ、該電線引出部の内面に各電線に外装したコルゲートチューブをはめ込む仕切りリブを突設し、かつ、該電線引出部の下端となるケース底壁に上記排水穴を設けると共に、該電線引出部の内面に両側縁より排水穴に向けて上記誘い込みリブを突設し、電線引出部からの浸水を上記排水穴より排出させる構成としている請求項１に記載の電気接続箱。
【請求項４】
上記ケースの排水穴の周囲に外周枠をケース底壁より突設し、該外周枠内に邪魔板部を突設して、上記排水穴へ外部からの浸水が生じない構成としている請求項１乃至請求項３のいずれか１項に記載の電気接続箱の排水構造。
【請求項５】
上記電気接続箱は、エンジンルーム側の飛水領域に搭載されるヒューズボックスあるいはリレーボックスである請求項１乃至請求項４のいずれか１項に記載の電気接続箱の排水構造。
【発明の詳細な説明】
【０００１】
【発明が属する技術分野】
本発明は、電気接続箱の排水構造に関し、詳しくは、飛水領域のエンジンルームに搭載する電気接続箱内の水を確実に排出するものである。
【０００２】
【従来の技術】
従来、エンジンルーム等の飛水領域に搭載する電気接続箱には、電気接続箱内に水が溜まることによって生じる電気部品への悪影響や回路間でのリークの発生を防ぐため、ケース底面、あるいはケースにロアカバーを取り付ける場合には、ロアカバーに排水穴を設けている。また、浸水が発生しにくい密閉構造としても、結露によって電気接続箱内に生じた水を排水するための排水穴が設けられている。
【０００３】
例えば、実開平５−７８１２４号の図９に示す電気接続箱では、ケース１の底面１ａに一対の排水穴２Ａ、２Ｂを設け、これら排水穴２Ａと２Ｂの間に排水穴２Ａと２Ｂに向かって下方傾斜する傾斜部１ｂを設けると共に、各排水穴２Ａ、２Ｂを囲む周壁１ｃを設けている。
【０００４】
【発明が解決しようとする課題】
しかしながら、図９の構成とすると、周壁１ｃの外方から水が流れてくると、図９（Ｂ）に示すように、周壁１ｃにより遮断され、排水穴２Ａ、２Ｂより排水されにくい問題がある。
また、従来の電気接続箱では、ケースに被せるカバーの内面に沿って結露による水が生じる場合、この水をケース底壁まで誘いこむ手段が設けられていない。ケース内部から水を迅速に排出できず、ケース内部に水が残ると、電気部品への悪影響が生じたり、回路間でのリークが発生する恐れがある。
【０００５】
本発明は上記問題に鑑みてなされたものであり、電気接続箱の底面に設けた排水穴の近傍にリブを設け、該リブに水を沿わせて排水穴へ誘導することにより、効率的に排水を行い、電気接続箱に搭載する電気部品への悪影響や回路間でのリークの発生を防ぐことを課題としている。
【０００６】
【課題を解決するための手段】
上記課題を解決するため、本発明は、カバーとロック結合されるケースに排水穴を設けていると共に、該排水穴に向かって延在する誘い込みリブをケース内面に突設し、浸水あるいは結露により生じた水が上記誘い込みリブに沿って流れると上記排水穴へ誘導されて排水される構成としていることを特徴とする電気接続箱の排水構造を提供している。
【０００７】
上記誘い込みリブは、例えば、排水穴を設けたケース底壁内面に沿って、あるいは／および、排水穴を周壁に近接する底壁に沿って設けた場合には周壁の内面に沿って、排水穴に向かって狭ばるように傾斜させて突設した複数本の線状のリブとし、これら線状のリブに沿ってリブの間の所定に経路を通り、水が自重により流れて、排水穴に自動的に誘い込まれるようにしている。
【０００８】
上記構成とすると、電気接続箱のケース底面に設けた排水穴に向けて、ケース内部の水は誘い込みリブにより排水穴へと誘導され、効率的に排水を行うことができる。これにより、電気接続箱に搭載する電気部品への悪影響や回路間でのリークの発生を防ぐことができる。
【０００９】
具体的には、電気接続箱は、ケースに被せるカバーを一側面とする横向きで、かつ、該カバーが上方となるように傾斜配置とされ、該カバーと対向する他側面に上記ケースの底面部が位置し、該ケース底面部の略中央の下端に上記排水穴が設けられ、該ケース底面部にケース側誘い込みリブを排水穴に向けて突設している一方、
上記カバーの内面に複数本のカバー側誘い込みリブを中央部下方に向けて所要間隔をあけて突設し、該カバー内面に結露して生じた水を上記カバー側誘い込みリブで誘導してカバーの中央下方に集め、対向する上記排水穴へと上記ケース内部を通して誘導する構成としている。
なお、上記カバー側の中央下方からケースの排水穴へ水が流れる位置には、電気部品とケースとの間に空隙を設けて、流路を遮断しないようにしている。
【００１０】
上記構成とすると、ケース内部に浸水した水およびケース内面に沿って発生した結露による水をケース底面部に排水穴に向けて突設したケース側誘い込みリブに沿わせて排水穴へ誘導するため、ケース側の水を効率的に排水することができる。
また、カバーの内面に複数本のカバー側誘い込みリブを中央部下方に向けて突設しているため、カバー内面に発生する結露による水もカバー側誘い込みリブで誘導してカバーの中央下方に集め、上記ケース内部の電気部品を搭載していない空間を通して、上記ケース底面部中央に設けた排水穴より排出させることができる。このように、ケース内面およびカバー内面のいずれに生じた結露による水も効率的に排水することができる。
【００１１】
あるいは、上記電気接続箱が、その一側部に電線引出部を突設し、この電線引出部より浸水が発生し易い場合には、下記の構成としている。即ち、
上記ケースの一側壁を外方へ斜め傾斜させて電線引出部を突設し、該電線引出部を上記カバーより外方に突出させている場合、該電線引出部の内面に各電線に外装したコルゲートチューブをはめ込む仕切りリブを突設し、かつ、該電線引出部の下端となるケース底壁に上記排水穴を設けると共に、該電線引出部の内面に両側縁より排水穴に向けて上記誘い込みリブを突設し、電線引出部からの浸水を上記排水穴より排出させる構成としている。
【００１２】
上記構成とすると、電線引出部からの浸水を、電線引出部の内面に両側縁より排水穴に向けて突設している誘い込みリブに沿わせて排水穴へ誘導するため、ケース内部に浸水する前に確実に排水することができる。
【００１３】
また、上記ケースの排水穴の周囲に外周枠をケース底壁より突設し、該外周枠内に邪魔板部を突設して、上記排水穴へ外部からの浸水が生じない構成としていることが好ましい。
上記構成とすると、高圧洗浄水がかかっても、あるいは路面からの水の跳ね上げがあっても、排水穴へ外部から水が浸水するのを確実に遮断することができる。
【００１４】
上記電気接続箱は、エンジンルーム側の飛水領域に搭載されるヒューズボックスやリレーボックスに好適に適用できる。
上記飛水領域に搭載されるヒューズボックスやリレーボックスは防水構造とされるが、結露により発生する水は排出する必要があるため、本発明の誘い込みリブを設けることにより、ボックス内部の水を確実に排出できる。
【００１５】
【発明の実施の形態】
以下、本発明の実施の形態を図面を参照して説明する。
図１乃至図５は本発明の第１実施形態を示し、ヒューズボックスからなる電気接続箱１０は、図１に示すように、エンジンルーム内で車両パネル６０の下方で路面Ｒより約１５ｃｍ程度の高さの飛水領域に配置されるものである。
【００１６】
上記電気接続箱１０はケース１１とカバー１２とからなり、ケース１１より突出するブラケット１１ｆにボルト穴１１ｆ−１を設け、ボルトＢにより車体６０にボルト締め固定している。この固定状態で、ヒューズボックス１０は横向きで且つ下方して傾斜させた配置とし、カバー１２は上方側の側面に位置すると共に、ケース１１の底壁１１ａは下方側の側面に位置させている。
【００１７】
電気接続箱１０を上記搭載姿勢とすることで、電気接続箱内部で自重により流れる水を後述する排水穴１１ｂへとケース１１の内面およびカバー１２の内面に設けた誘い込みリブで誘導している。
即ち、カバー１２およびケース１１内において、水が流れ込みやすくなるようケース底壁１１ａの略中央下端に排水穴１１ｂを設けている。また、ケース底面部１１ａの内面には、排水穴１１ｂに向けて水を両側から誘いこむケース側誘い込みリブ１１ｃを突設している。このケース側誘い込みリブ１１ｃは線状に延在する突起からなり、排水穴１１ｂに向けて狭まるように傾斜させ、その先端を排水穴１１ｂの周縁に接する位置まで配置している。
【００１８】
また、図５に示すように、ケース１１の外面には、排水穴１１ｂの周囲に外周枠１１ｊをケース底壁１１ａより突設し、該外周枠１１ｊ内に邪魔板部１１ｋを突設している。
【００１９】
ケース１１の内部には、ヒューズ２０を嵌合する２つのヒューズ収容部１１ｄと、電流センサー３０を嵌合する電流センサー収容部１１ｅを備え、中央部はリレー４０を収容する空間１１ｍとしている。リレー４０は収容状態で底面側との間に図１に示す空隙Ｃをあけている。上記ヒューズ２０、電流センサー３０はケース１１内に予め収容している入力側バスバーと出力側バスバーに接続されている。
ケース１１は外面上にカバー結合用のロック爪１１ｒ、１１ｑを設けている。
【００２０】
ケース１１の上面開口を閉鎖するカバー１２は、上壁１２ａと周壁１２ｂとからなり、上壁１２ａの内面には、図４に示すように、線状に延在させる複数のカバー側誘い込みリブ１２ｅを突設している。
【００２１】
上記カバー側誘い込みリブ１２ｅは、電気接続箱１０を横向き配置した状態で、カバー１２の中央部下方に向けて両側より傾斜させて延在させると共に、同一方向の複数本のカバー側誘い込みリブ１２ｅの間に互いに間隔をあけて設けている。両側のカバー側誘い込みリブ１２ｅ−１と１２ｅ−２との間には隙間１２ｅ−３を設け、この隙間１２ｅ−３をケース１１側の排水穴１１ｂと対向する位置となるように設定している。よって、隙間１２ｅ−３に集められた水は下方傾斜しているケース１１側に流れ、ケース１１の内面と収容部品との空隙Ｃに沿って排水穴１１ｂに流れ込むようにしている。
【００２２】
また、カバー１２には、ヒューズおよび電流センサー押さえ突起１２ｐも突設している。ケース１１のロック爪１１ｒをロックするためのロック部１２ｆ、ロック爪１１ｑをロックするためのロック部１２ｇをカバー１２の外周側面上に設けている。
【００２３】
上記構成とすると、ケース底壁１１ａの内面に結露して生じた水を、ケース底壁内面１に突設したケース側誘い込みリブ１１ｃに沿わせて排水穴１１ｂへ誘導するため、自重により流れる水を経路規制しながら、確実に排水することができる。また、高圧洗浄水がかけられることによりケース内部に浸水が発生した場合も、ケース側誘い込みリブ１１ｃに沿わせて排水穴１１ｂより確実に排水できる。
また、カバー１２の内面に結露して生じた水もカバー側誘い込みリブ１２ｅで誘導してカバー１２の中央下方に集め、ケース１１内部を通して排水穴１１ｂより排出させることが出来る。
このように、ケース１１の内面およびカバー１２の内面に排水穴１１ｂに向けて誘い込みリブ１２ｅ、１１ｂを設けているため、迅速かつ確実に排水できることより、電気接続箱１０内部に収容するヒューズ２０、電流センサー３０等の電気部品への悪影響や回路間でのリークの発生を防ぐことができる。
【００２４】
また、ケース１１の外面にも、排水穴１１ｂの周囲に外周枠１１ｊを突設し、外周枠１１ｊ内に邪魔板部１１ｋを突設しているため、路面からの水が跳ね上げられたり、高圧洗浄水がかけられても、排水穴１１ｂへ外部からの浸水が生じることも確実に防止することができる。
【００２５】
図６乃至図８は、本発明の第２実施形態を示す。
この第２実施形態の電気接続箱１０’は、ケース１１’に電線引出部１１ａ’を突設し、該電線引出部１１ａ’からの浸水を確実に排水できる構成としている。該電気接続箱１０’はカバー１２’を上面とし、ケース１１’の底壁を下面とした配置とし、ケース内部にヒューズ、電流センサー等の電気部品を収容している。
【００２６】
ケース１１’には、その外周壁１１ｂ’の一側を外方へ斜め傾斜させて突出して電線引出部１１ａ’を設け、該電線引出部１１ａ’をカバー１２’より外方に突出させると共に、該電線引出部１１ａ’の先端より電線ガイド部１１ｃ’を延在させている。該電線ガイド部１１ｃ’を３つの断面半円形状を連続させた電線嵌合部１１ｍ’を設けた形状とし、電気接続箱１０’から引き出す３本の電線に外装したコルゲートチューブ（図示せず）を嵌合させる形状としている。
【００２７】
上記電線ガイド部１１ｃ’の下方に連続する傾斜させた電線引出部１１ａ’の上部内面には、２本の仕切りリブ１１ｄ’を突設し、３つに仕切れらた部分を設けて、上記電線ガイド部１１ｃ’の３つの電線嵌合部１１ｍ’に連続させている。　また、電線引出部１１ａ’の下部には両側縁より下端中央に向けて傾斜させた線状に延在する誘い込みリブ１１ｅ’を設けている。この両側の誘い込みリブ１１ｅ’の下端は、ケース底壁１１ｆ’に設けた排水穴１１ｇ’に達するようにしている。
ケース１１’の外面には、第一実施形態と同様に、排水穴１１ｇ’の周囲に外周枠１１ｊ’を突設し、その内部に邪魔板１１ｋ’を設けている。
また、ケース１１’外面には、所要箇所にロック爪１１ｒ’を設けている。
さらに、ケース１１’の略水平の底壁１１ｆ’には図７に示すように複数箇所に排水穴１１ｉ’を設け、底壁外面より邪魔板を設けた外周枠１１ｊ’を突設している。
【００２８】
カバー１２’はケース１１’の電線引出部１１ａ’以外の箇所を覆う形状としている。カバー１２’の外面には、ケース１１’に設けられたロック爪１１ｒ’をロックするためのロック部１２ａ’を設けている。
【００２９】
上記構成とすると、電線ガイド部１１ｃ’を電線に外装したコルゲートを内嵌する形状としているため、浸水が発生しにくい構成となっているが、電線引出部１１ａ’から浸水が生じても、電線引出部１１ａ’の内面に両側縁より誘い込みリブ１１ｅ’に沿って排水穴１１ｇ’へと誘導されるため、確実に排水穴１１ｇ’より排水することができる。これにより、電気接続箱１０’に搭載するヒューズ、電流センサー、リレー等の電気部品への悪影響や回路間でのリークの発生を防ぐことができる。
【００３０】
【発明の効果】
以上の説明より明らかなように、本発明によれば、電気接続箱のケース内面およびカバー内面に排水穴に向けて水を強制的に案内する誘い込みリブを設けているため、該誘い込みリブに水を沿わせて排水穴へ誘導することにより、確実かつ効率的に排水を行うことができる。これにより、電気接続箱に搭載する電気部品への悪影響や回路間でのリークの発生を防ぐことができる。よって、電気接続箱をエンジンルーム等の飛水領域に搭載することができる。
【００３１】
特に、従来は、ケースあるいはロアカバーの底面に排水穴を設けているだけで、ケース内面に排水穴に水を誘導する手段を設けられていなかったことより、従来の電気接続箱と比較して、ケース内の水を誘い込みリブにより誘導する所定の経路に沿って排水でき、確実に、ケース内部の電気部品へ水がかからないようにする事が出来る。
【００３２】
さらに、従来、カバーの内面に結露により生じる水の排水対策を施した電気接続箱はなかったが、本発明の電気接続箱では、カバー内面にまで誘い込みリブを設け、ケース側の排水穴まで水の誘導をしているため、ケースの内部の水をすべて排水穴から迅速に排水させることができる。
【図面の簡単な説明】
【図１】本発明の第１実施形態の電気接続箱を車体に固定した状態を示す概略断面図である。
【図２】上記電気接続箱の分解斜視図である。
【図３】ケースの平面図である。
【図４】カバーの内面側を示す斜視図である。
【図５】ケースに設けた排水穴の断面図である。
【図６】第２実施形態の分解斜視図である。
【図７】（Ａ）は第２実施形態の電気接続箱の底面図、（Ｂ）は正面図である。
【図８】第２実施形態の電線引出部の要部拡大図である。
【図９】（Ａ）（Ｂ）は従来例を示す図面である。
【符号の説明】
１０、１０’　電気接続箱
１１、１１’　ケース
１１ａ　底壁
１１ｂ　排水穴
１１ｃ　ケース側誘い込みリブ
１１ｊ　外周枠
１１ａ’　電線引出部
１１ｅ’　誘い込みリブ
１１ｇ’　排水穴
１２、１２’　カバー
１２ｅ　　カバー側誘い込みリブ
【図１】
2004096968.tif 000003
【図２】
2004096968.tif 000004
【図３】
2004096968.tif 000005
【図４】
2004096968.tif 000006
【図５】
2004096968.tif 000007
【図６】
2004096968.tif 000008
【図７】
2004096968.tif 000009
【図８】
2004096968.tif 000010
【図９】
2004096968.tif 000011